(57)【特許請求の範囲】
【請求項１】
搭載ユニットが上下に搭載される搭載フレームと、
複数の前記搭載フレームを並べて収容するラックと、
前記ラックを前記搭載フレームの背面側で塞ぐ背面板と、
上下の前記搭載ユニットを隔離し、前記背面板に形成された挿通孔から突出して前記挿通孔の孔縁との間に下段の前記搭載ユニットを通った空気を排出する開口を形成し、前記挿通孔からの突出長の調整により前記開口の断面積が調整されるダクトと、
を有し、
前記ダクトが、
上下の前記搭載ユニットを隔離する隔離部材と、
前記隔離部材に対しスライドし前記挿通孔から突出するスライド部材と、
を備え、
前記搭載フレームに搭載される下段の前記搭載ユニットに前記スライド部材が押されることで前記突出長が長くなる電子装置。
【請求項２】
前記スライド部材に設けられ、前記搭載フレームに搭載される下段の前記搭載ユニットに押されることで前記スライド部材を前記突出長が長くなる方向に移動させる押し部材を有する請求項１に記載の電子装置。
【請求項３】
前記スライド部材が、斜め上方に傾斜する傾斜壁を有する請求項１または請求項２に記載の電子装置。
【請求項４】
ラック内の搭載フレームの上下に搭載ユニットを搭載し、
背面板に形成された挿通孔から突出して前記挿通孔の孔縁との間に下段の前記搭載ユニットを通った空気を排出する開口を形成するダクトを、下段の前記搭載ユニットの前記搭載により押し込み、前記開口の断面積を広げる搭載ユニットの搭載方法。
【発明の詳細な説明】
【技術分野】
【０００１】
本願の開示する技術は電子装置、及び搭載ユニットの搭載方法に関する。
【背景技術】
【０００２】
上下のシェルフの間に熱遮蔽板を配置し、下方のシェルフの冷却に用いられて温度上昇した空気を熱遮蔽板の仕切板に沿って排出させ、温められた空気が上方のシェルフに影響を与えないようにした架構造がある。
【０００３】
また、バックボードの通気口を、ハードディスクドライブを装填したユニットの装着に応じて開き、未装着に応じて閉じることで、通気口の開口面積が調整される機構のディスクアレイ装置がある
【先行技術文献】
【特許文献】
【０００４】
【特許文献１】国際公開ＷＯ２００６／０５４３３２号公報
【特許文献２】特開２００６−５９４４８号公報
【発明の概要】
【発明が解決しようとする課題】
【０００５】
フレームに搭載した上下の搭載ユニットを隔離し、下段の搭載ユニットを冷却した後の空気をバックボードの通気口から背面側に流す構造では、下段の搭載ユニットを搭載しないフレームが存在することがある。下段の搭載ユニットを搭載しないフレームでは、搭載ユニットがないため、通気抵抗が低い。そして、これにより、下段の搭載ユニットを搭載したフレームでは、下段の搭載ユニットに対し冷却風が流れにくくなる。
【０００６】
本願の開示技術は、１つの側面として、下段の搭載ユニットを搭載しないフレームがあっても、下段の搭載ユニットを搭載したフレームへの冷却風量の低減を抑制することが目的である。
【課題を解決するための手段】
【０００７】
本願の開示する技術では、フレームに搭載される上下の搭載ユニットをダクトで隔離する。ダクトは、接続基板に形成された挿通孔から突出しており、挿通孔の孔縁との間に、下段の搭載ユニットを通った空気を排出する開口を形成する。挿通孔からのダクトの突出長を調整することで、開口の断面積が調整される。
【発明の効果】
【０００８】
本願の開示する技術では、下段の搭載ユニットを搭載しないフレームがあっても、下段の搭載ユニットを搭載したフレームへの冷却風量の低減を抑制できる。
【図面の簡単な説明】
【０００９】
【図１】図１は第一実施形態の電子装置を示す分解斜視図である。
【図２】図２は第一実施形態の電子装置を一部省略して示す分解斜視図である。
【図３】図３は第一実施形態の電子装置のフレームを示す斜視図である。
【図４】図４は第一実施形態の電子装置のフレームを示す斜視図である。
【図５】図５は第一実施形態の電子装置の接続基板を示す斜視図である。
【図６】図６は第一実施形態の電子装置の接続基板を示す斜視図である。
【図７】図７は第一実施形態の電子装置のスライド部材の近傍を示す斜視図である。
【図８】図８は第一実施形態の電子装置のスライド部材の近傍を示す断面図である。
【図９】図９は第一実施形態の電子装置のスライド部材の近傍を示す断面図である。
【図１０】図１０は第一実施形態の電子装置を示す断面図である。
【図１１】図１１は第一実施形態の電子装置を示す断面図である。
【図１２】図１２は比較例の電子装置を部分的に示す正面図である。
【図１３】図１３は第一実施形態の電子装置を部分的に示す正面図である。
【図１４】図１４は第一実施形態の電子装置のガスケットを示す断面図である。
【図１５】図１５は第一実施形態の電子装置を一部省略して示す分解斜視図である。
【図１６】図１６は第一実施形態の電子装置のフレームを示す斜視図である。
【図１７】図１７は第一実施形態の電子装置のフレームを示す斜視図である。
【図１８】図１８は第一実施形態の電子装置のフレーム及び接続基板を示す斜視図である。
【図１９】図１９は第一実施形態の電子装置を示す断面図である。
【図２０】図２０は第一実施形態の変形例の電子装置の筒体の近傍を示す斜視図である。
【図２１】図２１は第二実施形態の電子装置のスライド部材の近傍を示す斜視図である。
【図２２】図２２は第二実施形態の電子装置のスライド部材の近傍を示す断面図である。
【図２３】図２３は第二実施形態の電子装置のスライド部材の近傍を示す断面図である。
【図２４】図２４は第三実施形態の電子装置のスライド部材の近傍を示す斜視図である。
【図２５】図２５は第三実施形態の電子装置のスライド部材の近傍を示す断面図である。
【図２６】図２６は第三実施形態の電子装置のスライド部材の近傍を示す断面図である。
【図２７】図２７は第四実施形態の電子装置を示す分解斜視図である。
【図２８】図２８は第四実施形態の電子装置を示す断面図である。
【図２９】図２９は第四実施形態の電子装置を示す断面図である。
【図３０】図３０は第四実施形態の電子装置を示す断面図である。
【発明を実施するための形態】
【００１０】
第一実施形態について、図面に基づいて詳細に説明する。
【００１１】
図１及び図２に示すように、第一実施形態の電子装置３２は、シェルフ３４を有する。シェルフ３４は、本実施形態では、直方体の箱状の部材である。シェルフ３４の手前側の面は開放されており、複数のフレーム３６をシェルフ３４の内部に並べた状態で収容することができる。さらに、シェルフ３４の内部の背面側は、背面板、たとえば後述する接続基板４４で覆われ塞がれている。シェルフ３４は、ラックの一例である。
【００１２】
以下、シェルフ３４の幅方向、奥行方向及び上下方向をそれぞれ、矢印Ｗ、Ｄ、Ｕで示す。シェルフ３４の幅方向は、シェルフ３４の内部における複数のフレーム３６の並び方向と一致する。
【００１３】
本実施形態のフレーム３６は、上下に並べて、２つの搭載ユニット３８を搭載することができる。フレーム３６は、搭載ユニット３８を奥行方向にスライド可能に支持するための部材、たとえばスライドレールを有する。搭載ユニットは、ＰＩＵ（Ｐｌｕｇ  Ｉｎ  Ｕｎｉｔ：プラグインユニット）と称されることがある。搭載ユニット３８をフレーム３６内に搭載するときの挿入の向きを矢印ＤＤで示す。矢印ＤＤで示される側が、シェルフ３４、フレーム３６及び搭載ユニット３８における奥側である。
【００１４】
以下、上下の搭載ユニット３８を区別するときは、上段搭載ユニット３８Ｕ及び下段搭載ユニット３８Ｌとする。そして、フレーム３６において、上段搭載ユニット３８Ｕが搭載される部分を上搭載部分３９Ｕ、下段搭載ユニット３８Ｌが搭載される部分を下搭載部分３９Ｌとする。
【００１５】
搭載ユニット３８には、電子部品４０が実装される。電子部品４０は、搭載ユニット３８内の配線及び接続端子４２を経由して、後述する接続基板４４の接続端子４５と電気的に接続される。接続基板４４は、ＢＷＢ（Ｂａｃｋ  Ｗｉｒｅｉｎｇ  Ｂｏａｒｄ：バックワイヤリングボード）と称されることがある。
【００１６】
フレーム３６は、フレーム本体４６の上下方向の中間部分に設けられたダクト４８を有する。
【００１７】
図３及び図４に示すように、ダクト４８は、奥行方向（矢印Ｄ方向）に沿って、フレーム３６の前端側から後端側まで延在する四角筒状の筒体５０を有する。
【００１８】
図４に示すように、筒体５０の手前側の部分は、上搭載部分３９Ｕ（上段搭載ユニット３８Ｕ）に通す空気を吸引するための吸気口５２Ｕである、筒体５０の奥側の部分は、下搭載部分（下段搭載ユニット３８Ｌ）を通った空気を排出するための排気口５５Ｌである。
【００１９】
図１及び図２に示すように、シェルフ３４の下部には吸気用ファン５６が設けられる。シェルフ３４には、この吸気用ファン５６の下側又は手前側に吸気口５２Ｌが形成される。電子装置３２は、図１０及び図１１に矢印Ｆ６で示すように、吸気用ファン５６の駆動により、吸気口５２Ｌから空気を吸引する。
【００２０】
シェルフ３４の上部には排気用ファン５８が設けられる。電子装置３２は、図１０及び図１１に矢印Ｆ３で示すように、排気用ファン５８の駆動により、吸気口５２Ｕから空気を吸引できる。
【００２１】
シェルフ３４の上部には排気口５４Ｕが形成される。電子装置３２は、図１０及び図１１に矢印Ｆ５で示すように、排気用ファン５８の駆動により、シェルフ３４の内部の空気を排気口５４Ｕから排出する。
【００２２】
シェルフ３４の上部には、排気口５４Ｕの奥側に排気口５４Ｌが形成される。電子装置３２は、吸気用ファン５６の駆動により、図１０及び図１１に矢印Ｆ１０で示すように、筒体５０の排気口５５Ｌから排出された空気を、接続基板４４の奥側を通し、排気口５４Ｌから排出することができる。
【００２３】
図３及び図４に示すように、フレーム３６は、板状のフレーム本体４６を有する。フレーム３６は、フレーム本体４６の上部及び下部に設けられた上フレーム板６０Ｕ及び下フレーム板６０Ｌを有する。上フレーム板６０Ｕ及び下フレーム板６０Ｌには通気孔６２が形成される。
【００２４】
筒体５０の手前側には、通気板６４が取り付けられる。通気板６４は、金属等の導電性を有する板状の部材であり、複数の通気孔６６が形成される。排気用ファン５８の駆動時には、吸気口５２Ｕから吸引される空気（図１０及び図１１の矢印Ｆ３）は、シェルフ３４の手前側から通気孔６６を通って筒体５０の内部に入る。
【００２５】
通気板６４は導電性を有するので、搭載ユニット３８からの電磁波の漏洩を抑制する作用を奏する。通気板６４としては、パンチングメタルと称される穴あきの金属板を用いることができる。通気板６４は、通気部材の一例である。通気部材としては、パンチングメタルの他に、たとえば、金網状の部材を用いることもできる。
【００２６】
筒体５０の上壁５０Ｕ及び下壁５０Ｌには、通気孔６２が形成される。吸気口５２Ｕから吸引された空気は、上壁５０Ｕの通気孔６２を通って上搭載部分３９Ｕに至る。下搭載部分３９Ｌを上昇した空気は、下壁５０Ｌの通気孔６２を通って筒体５０の内部に流入する。
【００２７】
筒体５０の内部には、手前側から奥側に向かって斜め上方に傾斜する隔離板６８が配置される。筒体５０によって、特に隔離板６８によって、上搭載部分３９Ｕと下搭載部分３９Ｌとが隔離される。筒体５０（隔離板６８）は隔離部材の一例である。
【００２８】
隔離板６８の奥側には、スライド部材７０が設けられる。スライド部材７０は、手前側から奥側に向かって斜め上方に傾斜する傾斜壁７２を有する。さらにスライド部材７０は、傾斜壁７２の両側から上方に立設される一対の縦壁７４を有する。
【００２９】
図５及び図６に示すように、接続基板４４には、フレーム３６と一対一で対応する複数の挿通孔７６が形成される。そして、図７〜図９に示すように、スライド部材７０における奥側部分が、挿通孔７６に挿通される。すなわち、ダクト４８の一部（奥側部分）が、接続基板４４に形成された挿通孔７６に挿通され、接続基板４４の奥側に突出する構造である。
【００３０】
図８に示すように、接続基板４４には、搭載ユニット３８の接続端子４２と接続される複数の接続端子４５が設けられる。接続基板４４は、背面板の一例である。背面板としては、搭載ユニット３８が電気的に接続されず、フレーム３６内での背面側を覆って塞ぐ板であってもよい。
【００３１】
図７〜図１１に示すように、挿通孔７６の孔縁７６Ｅとダクト４８（傾斜壁７２）の奥側端部４８Ｅとの間には、開口７８が形成される。吸気用ファン５６の駆動により、フレーム３６の下搭載部分３９Ｌを上昇した空気は、矢印Ｆ８で示すように、隔離板６８によって斜め上方奥側へ案内される。この空気は、さらに、矢印Ｆ９で示すように、傾斜壁７２に沿って斜め上方へ流れ、開口７８を通って接続基板４４の奥側へ流れる。
【００３２】
スライド部材７０は、筒体５０（隔離板６８）に対し、奥行方向（矢印Ｄ方向）にスライドする。このスライドにより、スライド部材７０の、挿通孔７６からの突出長Ｔ１が変化し、開口７８の開口面積も変化する。
【００３３】
図９に示すように、スライド部材７０が奥側にスライドした位置では、開口７８の開口面積が拡大される。スライド部材７０のこの位置を拡大位置ＬＤとする。これに対し、図８に示すように、スライド部材７０が手前側にスライドした位置では、開口７８の開口面積が縮小される。スライド部材７０のこの位置を縮小位置ＬＳとする。
【００３４】
スライド部材７０のスライドは、押し板８２および長孔８４を有するガイド部材８０によりガイドされる。
【００３５】
押し板８２は、図７に示すように、スライド部材７０の手前側端部において、下方に向かって１つ又は複数（図７に示す例では幅方向に並べて２つ）形成される。押し板８２は、下段搭載ユニット３８Ｌが下搭載部分３９Ｌに搭載されるときに下段搭載ユニット３８Ｌの挿入途中で、下段搭載ユニット３８Ｌの一部に押される位置に形成される。
【００３６】
長孔８４は、筒体５０の下壁５０Ｌにおいて、奥行方向を長手方向として形成される。長孔８４のそれぞれに、押し板８２が上方から挿入される。本実施形態では、長孔８４は、通気孔６２の一部が兼ねる構造を採り得る。
【００３７】
スライド部材７０のスライド範囲は、所定範囲に設定される。以下では、スライド部材７０が最も奥側にあるときを拡大位置ＬＤ（図９参照）、最も手前側に位置したときを縮小位置ＬＳ（図８参照）とする。
【００３８】
筒体５０（フレーム３６の一部）には、引張コイルバネ８６の一端が取り付けられる。引張コイルバネ８６の他端はスライド部材７０に取り付けられる。引張コイルバネ８６は、スライド部材７０に対し、接続基板４４からの突出長Ｔ１が短くなる方向（手前側）に向かって引張力を作用させる。
【００３９】
スライド部材７０のスライド範囲は、開口７８の開口断面積との関係で、以下のように決められる。
【００４０】
フレーム３６には、図１０に示すように、下段搭載ユニット３８Ｌが搭載されるフレーム３６の他に、図１１に示すように、下段搭載ユニット３８Ｌが搭載されないフレーム３６が存在する場合がある。以下では、下段搭載ユニット３８Ｌが搭載されているフレーム３６を下段搭載フレーム３６Ａ、下段搭載ユニットが搭載されていないフレーム３６を下段非搭載フレーム３６Ｂとして区別する。図１２及び図１３では、例として、隣接する２つのフレーム３６を手前側から見た状態で示している。図１２は後述する比較例の電子装置１３２であり、図１３は本実施形態の電子装置３２である。
【００４１】
図１０〜図１３に矢印Ｆ７で示すように、吸気用ファン５６の駆動により下搭載部分３９Ｌには空気が流れる。この空気に作用する通気抵抗は、下段搭載ユニット３８Ｌが搭載されていない下段非搭載フレーム３６Ｂのほうが、下段搭載ユニット３８Ｌが搭載されている下段搭載フレーム３６Ａよりも小さくなる。
【００４２】
図１２には、比較例の電子装置１３２が示される。比較例の電子装置１３２では、下段搭載フレーム３６Ａと下段非搭載フレーム３６Ｂとが隣接配置される。そして、下段搭載フレーム３６Ａと下段非搭載フレーム３６Ｂとで、ダクト４８の開口７８（実質的に接続基板４４の挿通孔７６）の開口面積が同じである。比較例の電子装置１３２において、下段非搭載フレーム３６Ｂ（右側のフレーム３６）の下搭載部分３９Ｌは通気抵抗が小さいので空気が流れやすい。その結果、下段搭載フレーム３６Ａ（左側のフレーム３６）の下搭載部分３９Ｌを流れる空気の量は少なくなる。
【００４３】
これを考慮し、本実施形態の電子装置３２では、下段非搭載フレーム３６Ｂにおける開口７８の開口断面積を小さくし、通気抵抗を大きくすることで、下段搭載フレーム３６Ａにおける開口７８の通気抵抗に近づけることができる。下段非搭載フレーム３６Ｂにおける開口７８には空気が流れにくくなるので、その結果、下段搭載フレーム３６Ａの下搭載部分３９Ｌを通過する空気の量を多くすることができる。たとえば、図１３に示すように、下段非搭載フレーム３６Ｂの下搭載部分３９Ｌを流れる空気量を、下段搭載フレーム３６Ａの下搭載部分３９Ｌを流れる空気量に近づけることができる。このような観点から、開口７８の開口断面積が所望の断面積となるように、スライド部材７０のスライド範囲が決められる。
【００４４】
図８に示すように、スライド部材７０は、下搭載部分３９Ｌに下段搭載ユニット３８Ｌが搭載されていない状態（搭載途中の状態を含む）では、引張コイルバネ８６の引張力を受けて、縮小位置ＬＳにある。
【００４５】
スライド部材７０が縮小位置ＬＳにある状態では、下搭載部分３９Ｌに下段搭載ユニット３８Ｌが挿入されるときに、下段搭載ユニット３８Ｌの一部が押し板８２に当たる。この状態で、下段搭載ユニット３８Ｌをさらに奥側に移動させると、押し板８２が下段搭載ユニット３８Ｌに押されるので、引張コイルバネ８６の引張力に抗して、スライド部材７０が奥側へスライドする。
【００４６】
図１に示すように、搭載ユニット３８には、ロックレバー８８が設けられる。ロックレバー８８はロック部材の一例である。搭載ユニット３８がシェルフ３４内の所定の搭載位置まで挿入された状態で、ロックレバー８８を操作し、搭載ユニット３８を搭載位置で移動不能にロックできる。下段搭載ユニット３８Ｌが搭載位置でロックされることで、スライド部材７０も拡大位置ＬＤでロックされる。
【００４７】
図３及び図４に示すように、筒体５０の側壁５０Ｓには、ガスケット９０が設けられる。図１４にも示すように、ガスケット９０は、芯材９２と、この芯材９２を囲む被覆材９４とを有する。芯材９２は弾性を有する材料（たとえばスポンジ）で形成される。被覆材９４は、導電性を有する材料（たとえば金属）で形成される。すなわち、ガスケット９０は、弾性と導電性の双方を備えた部材である。
【００４８】
ガスケット９０の幅Ｗ１は、シェルフ３４に収容された状態で、隣接するフレーム３６のフレーム本体４６に接触するように決められる。ガスケット９０は、弾性を有するので、隣接するフレーム本体４６に対し、幅方向に圧縮されて密着する。これにより、上搭載部分３９Ｕと下搭載部分３９Ｌとの間での空気の流れが抑制される。
【００４９】
また、ガスケット９０は導電性を有するので、下段搭載ユニット３８Ｌから上搭載部分３９Ｕへの電磁波の漏洩や、上段搭載ユニット３８Ｕから下搭載部分３９Ｌへの電磁波の漏洩が抑制される。
【００５０】
本実施形態のシェルフ３４には、図１５に示すように、上段搭載ユニット３８Ｕや下段搭載ユニット３８Ｌと比較して大型の（矢印Ｕ方向に長い）搭載ユニット３８（大型搭載ユニット３８Ｎ）が搭載されることがある。この大型搭載ユニット３８Ｎをシェルフ３４に搭載する場合は、大型搭載ユニット３８Ｎに対応して、ダクト４８が設けられていないフレーム３６Ｎを用いる。
【００５１】
図１６に示すように、フレーム３６Ｎは、ダクト４８（図３及び図４参照）を有さない構造であり、大型搭載ユニット３８Ｎを搭載できる。
【００５２】
図１７に示すように、フレーム３６Ｎの奥側の、高さ方向中央には突起９６が形成される。図１８に示すように、突起９６は、フレーム３６Ｎがシェルフ３４内に配置された状態で、接続基板４４の挿通孔７６を塞ぐ位置に設けられる。
【００５３】
接続基板４４の手前側の面には、挿通孔７６のそれぞれの周囲に封止材９８が配置される。封止材９８は、突起９６が挿通孔７６を塞いだ状態で、フレーム３６Ｎと接続基板４４の間での空気の漏れを抑制する。
【００５４】
次に、本実施形態の作用を説明する。
【００５５】
図１５及び図１９に示すように、シェルフ３４内には、フレーム３６Ｎを用いて大型搭載ユニット３８Ｎを搭載する場合がある。この場合は、吸気用ファン５６及び排気用ファン５８の駆動により、図１９に矢印Ｆ０で示すように、吸気口５２Ｌから空気を吸引できる。この空気が、矢印Ｆ１で示すように、大型搭載ユニット３８Ｎに沿って上昇することで、大型搭載ユニット３８Ｎを冷却できる。大型搭載ユニット３８Ｎを冷却した後の空気は、矢印Ｆ２で示すように、排気口５４Ｕから排出される。
【００５６】
図１８及び図１９に示すように、接続基板４４の挿通孔７６は突起９６によって塞がれているので、大型搭載ユニット３８Ｎに沿って上昇する空気の一部が挿通孔７６を通って接続基板４４の奥側に漏れることを抑制できる。さらに、封止材９８（図５参照）により、フレーム３６と接続基板４４との隙間からの空気も漏れも抑制できる。
【００５７】
吸気用ファン５６と排気用ファン５８の双方を駆動することができ、これにより、大型搭載ユニット３８Ｎを冷却する場合の風量を多く確保できる。ただし、吸気用ファン５６と排気用ファン５８の一方で風量を確保できる場合は、これらファンの一方のみを駆動してもよい。
【００５８】
図１３に示すように、シェルフ３４内には、下段搭載ユニット３８Ｌが搭載されるフレーム３６（下段搭載フレーム３６Ａ）と、下段搭載ユニット３８Ｌが搭載されないフレーム３６（下段非搭載フレーム３６Ｂ）とが存在する場合がある。
【００５９】
本実施形態の電子装置３２では、図１１に示すように、下段搭載ユニット３８Ｌが搭載されないフレーム３６（下段非搭載フレーム３６Ｂ）において、引張コイルバネ８６のバネ力（引張力）を受けて、スライド部材７０が縮小位置ＬＳにある。図８にも拡大して示すように、スライド部材７０が拡大位置ＬＤにある状態（図９及び図１０参照）と比較して、排気口５４Ｕの開口断面積は狭い。
【００６０】
下段非搭載フレーム３６Ｂには、下段搭載ユニット３８Ｌを搭載することができる。図８に示すように、下段非搭載フレーム３６Ｂの下搭載部分３９Ｌに下段搭載ユニット３８Ｌを挿入していくと、挿入途中で、下段搭載ユニット３８Ｌの一部が、押し板８２に接触する。
【００６１】
下段搭載ユニット３８Ｌには、引張コイルバネ８６のバネ力がスライド部材７０及び押し板８２を介して手前側に作用する。このバネ力に抗して、下段搭載ユニット３８Ｌをさらに奥側に移動させると、スライド部材７０がスライドし、拡大位置ＬＤに至る。
【００６２】
この状態で、ロックレバー８８の操作により、下段搭載ユニット３８Ｌがシェルフ３４内の所定の搭載位置でロックされる。下段搭載ユニット３８Ｌがロックされることで、スライド部材７０も拡大位置ＬＤでロックされる。
【００６３】
なお、下段搭載ユニット３８Ｌを手前側に引き出すと、引張コイルバネ８６の引張力を受けてスライド部材７０が縮小位置ＬＳに向かってスライドする。
【００６４】
フレーム３６はダクト４８を有している。このダクト４８、特に隔離板６８によって、下段搭載ユニット３８Ｌ（下搭載部分３９Ｌ）と上搭載部分３９Ｕとは隔離される。
【００６５】
この状態で、排気用ファン５８の駆動により、図１０に矢印Ｆ３で示すように、吸気口５２Ｕから空気が吸引される。この空気が、矢印Ｆ４で示すように、上段搭載ユニット３８Ｕに沿って上昇することで、上段搭載ユニット３８Ｕを冷却できる。上段搭載ユニット３８Ｕを冷却した後の空気は、矢印Ｆ５で示すように、排気口５４Ｕから排出される。また、吸気用ファン５６の駆動により、矢印Ｆ６で示すように、吸気口５２Ｌから空気を吸引できる。この空気が、矢印Ｆ７で示すように、下段搭載ユニット３８Ｌに沿って上昇することで、下段搭載ユニットを冷却できる。下段搭載ユニット３８Ｌを冷却した後の空気は、隔離板６８により、矢印Ｆ８で示すように、奥側斜め上方へと案内される。さらにこの空気は、矢印Ｆ９で示すように、傾斜壁７２により開口７８へと案内される。開口７８を通過した空気は、接続基板４４と、シェルフ３４の奥壁との間を通過し、矢印Ｆ１０で示すように、排気口５４Ｕから排出される。
【００６６】
上記したように、ダクト４８、特に隔離板６８があることで、下段搭載ユニット３８Ｌに沿って上昇する空気（矢印Ｆ７）と、上段搭載ユニット３８Ｕに沿って上昇する空気（矢印Ｆ４）とが分離される。下段搭載ユニット３８Ｌを冷却したことで温度上昇した空気が上段搭載ユニット３８Ｕに触れないので、上段搭載ユニット３８Ｕを、吸気口５２Ｕから吸引した空気によって、効果的に冷却することができる。
【００６７】
隔離板６８は、手前側から奥側に向かって上昇するように傾斜している。したがって、隔離板６８は、吸気口５２Ｕから吸引された空気は、矢印Ｆ３で示すように、斜め上方奥側、すなわち上段搭載ユニット３８Ｕへ案内される。また、隔離板６８は、下段搭載ユニット３８Ｌに沿って上昇した空気を、矢印Ｆ８で示すように、斜め上方奥側、すなわち開口７８側へ案内できる。
【００６８】
スライド部材７０の傾斜壁７２は、手前側から奥側に向かって上昇するように傾斜している。したがって、隔離板６８によって奥側へ案内された空気は、矢印Ｆ９で示すようにさらに上方、すなわち開口７８に向かって案内される。
【００６９】
図１２に示す比較例の電子装置１３２では、下段非搭載フレーム３６Ｂの下搭載部分３９Ｌの通気抵抗が小さい。このため、下段非搭載フレーム３６Ｂの下搭載部分３９Ｌに、相対的に多くの空気が流れる。そしてその結果、下段搭載フレーム３６Ａの下搭載部分３９Ｌ（下段搭載ユニット３８Ｌ）を流れる空気の量は、相対的に少なくなる。
【００７０】
これに対し、本実施形態の電子装置３２では、図８と図９との比較から分かるように、スライド部材７０が縮小位置ＬＳにあるときは、拡大位置ＬＤにあるときよりも開口７８の開口断面積が狭い。そして、下段非搭載フレーム３６Ｂの通気抵抗（下搭載部分３９Ｌから開口７８を通る部分）は比較例の構造よりも大きくなり、下段搭載フレーム３６Ａの通気抵抗に近い。
【００７１】
したがって、図１３に示すように、下段非搭載フレーム３６Ｂの下搭載部分３９Ｌを流れる空気の量を相対的に少なくし、その分、下段搭載フレーム３６Ａの下搭載部分３９Ｌ（下段搭載ユニット３８Ｌ）を流れる空気（冷却風）の量を相対的に多くできる。
【００７２】
そしてこれにより、下段搭載フレーム３６Ａの下段搭載ユニット３８Ｌを効率的に冷却できる。たとえば、吸気用ファン５６の吸気量（送風量）を増やすことなく、下段搭載フレーム３６Ａの下段搭載ユニット３８Ｌを効率的に冷却することが可能である。
【００７３】
本実施形態の電子装置３２では、図８に示すように、引張コイルバネ８６が、スライド部材７０を、接続基板４４からの突出長が短くなる方向に付勢している。したがって、下段非搭載フレーム３６Ｂでは、スライド部材７０が縮小位置ＬＳにある状態、すなわち開口７８の開口面積が小さい状態を確実に維持できる。
【００７４】
引張コイルバネ８６は、フレーム３６の一部である筒体５０の側壁５０Ｓに取り付けられている。引張コイルバネ８６が接続基板４４の奥側にはみ出ない構造を実現でき、接続基板４４の奥側における各種部材や配線の位置に影響を与えない。
【００７５】
電子装置３２は、図１及び図２に示すように、搭載ユニット３８がロックレバー８８を有する。特に、下段搭載ユニット３８Ｌに押されてスライド部材７０が拡大位置ＬＤにあるとき、下段搭載ユニット３８Ｌをロックレバー８８によりロックすることで、スライド部材７０を拡大位置ＬＤでロックできる。
【００７６】
スライド部材７０は、傾斜壁７２を有する。傾斜壁７２は、ダクト４８（筒体５０）から奥側に向かって斜め上方に傾斜する。したがって、開口７８に向かう空気の流れを上方に誘導し、効率的に排気口５４Ｌから排気できる。
【００７７】
電子装置３２は、スライド部材７０の傾斜壁７２の両側に立設される縦壁７４を有する。この縦壁７４により、傾斜壁７２の上面に沿って流れる空気が幅方向に広がったり、乱流（渦流）を発生させたりすることを抑制し、開口７８を流れる空気を排気口５４Ｕに導くことができる。
【００７８】
第一実施形態の電子装置３２では、縦壁７４はスライド部材７０に設けられる。縦壁７４は傾斜壁７２と一体の構造であり、傾斜壁７２と縦壁７４との間に隙間が生じない。このため、傾斜壁７２に沿って案内される気体の幅方向への広がりや乱流を効果的に抑制できる。
【００７９】
電子装置３２のフレーム３６は、ガスケット９０を有する。ガスケット９０は、隣接するフレーム３６に接触し、フレーム３６の間の隙間を埋める。下搭載部分３９Ｌと上搭載部分３９Ｕとの隙間は、ガスケット９０が存在している部分では解消される。このように下搭載部分３９Ｌと上搭載部分３９Ｕとの隙間が解消されることで、上搭載部分３９Ｕと下搭載部分３９Ｌとの間での気体の移動がより確実に抑制される。たとえば、下搭載部分３９Ｌにおいて下段搭載ユニット３８Ｌの熱を受けた気体が上搭載部分３９Ｕに流入することは、ガスケット９０により抑制される。
【００８０】
ガスケット９０は、上記では筒体５０の側壁５０Ｓの下部に設けられる例を挙げている。筒体５０は、隣接するフレーム３６に向かって突出した部分であり、この部分では、フレーム３６どうしの隙間が狭い。したがって、筒体５０にガスケット９０を設けると、小さなガスケットでフレーム３６の間の隙間を埋めることができる。
【００８１】
ガスケット９０は、導電性を有する。したがって、下段搭載ユニット３８Ｌや上段搭載ユニット３８Ｕで生じた電磁波の漏洩を抑制できる。
【００８２】
なお、ガスケット９０は、図２０に示す変形例の構造としてもよい。変形例では、ガスケット９０が、筒体５０の側壁５０Ｓの下部だけでなく、上部及び手前側にも設けられる。ガスケット９０が筒体５０の側壁５０Ｓの上部に設けられることで、上搭載部分３９Ｕと下搭載部分３９Ｌとの間での気体の移動を、さらに確実に抑制できる。ガスケット９０が、筒体５０の側壁５０Ｓの手前側に設けられることで、下段搭載ユニット３８Ｌや上段搭載ユニット３８Ｕからの電磁波の漏洩を、さらに確実に抑制できる。
【００８３】
フレーム３６の筒体５０の吸気口５２Ｕは、通気孔６６を有する通気板６４で覆われる。通気板６４は導電性を有するので、上段搭載ユニット３８Ｕで発生した電磁波の吸気口５２Ｕからの漏洩を抑制できる。
【００８４】
通気板６４には通気孔６６が形成されているので、吸気口５２Ｕからの空気の吸引は可能である。
【００８５】
次に、第二実施形態について説明する。第二実施形態において、第一実施形態と同様の要素及び部材については、同一符号を付して、詳細な説明を省略する。第二実施形態の電子装置の全体的構造は、第一実施形態の電子装置３２と同様の構造を採り得るので、図示を省略する。
【００８６】
第二実施形態の電子装置２３２では、図２１に示すように、接続基板４４の奥側に、ブラケット２８４を介して板バネ２８６が取り付けられる。
【００８７】
図２２及び図２３に示すように、板バネ２８６は、奥側からスライド部材７０に接触する。そして、板バネ２８６は、スライド部材７０を、縮小位置ＬＳに向かってバネ力により押している。板バネ２８６は押しバネの一例である。
【００８８】
なお、第二実施形態の電子装置２３２では、第一実施形態の引張コイルバネ８６（図７〜図９等参照）は設けられていない。
【００８９】
第二実施形態では、図２２に示すように、下段搭載ユニット３８Ｌが搭載されていない状態（搭載位置まで押し込まれていない状態を含む）の下段非搭載フレーム３６Ｂでは、スライド部材７０が板バネ２８６に押されて縮小位置ＬＳを維持する。
【００９０】
そして、図２３に示すように、下搭載部分３９Ｌに下段搭載ユニット３８Ｌが搭載されると、この下段搭載ユニット３８Ｌに押され、板バネ２８６のバネ力に抗して、スライド部材７０が拡大位置ＬＤへ移動する。
【００９１】
第二実施形態の板バネ２８６は、接続基板４４に取り付けられている。このため、フレーム３６に搭載される部材（搭載ユニット３８や、その他の電子部品等）の形状や搭載位置に板バネ２８６は影響を与えない。
【００９２】
次に、第三実施形態について説明する。第三実施形態において、第一実施形態と同様の要素及び部材については、同一符号を付して、詳細な説明を省略する。第三実施形態の電子装置の全体的構造は、第一実施形態の電子装置３２と同様の構造を採り得るので、図示を省略する。
【００９３】
第三実施形態の電子装置３３２では、図２４に示すように、筒体５０（隔離部材）の奥側に外枠３３４が取り付けられる。図２５及び図２６に示すように、外枠３３４は、スライド部材７０の傾斜壁７２と平行な傾斜壁３３６と、この傾斜壁３３６の両側に立設される縦壁３３８とを有する。
【００９４】
外枠３３４の奥側部分は、接続基板４４の挿通孔７６に挿通されており、接続基板４４の奥側に位置している。
【００９５】
第三実施形態の電子装置３３２では、このように、縦壁３３８が筒体５０に固定される。縦壁３３８はスライド部材７０には設けられないので、スライド部材７０を軽量化でき、スライド部材７０のスムーズなスライドに寄与できる。
【００９６】
なお、第三実施形態では、図２４に示すように、引張り引張コイルバネ８６を、幅方向に並べて複数（２つ）配置している。これにより、スライド部材７０に対し、縮小位置ＬＳに向かう引張力を安定して作用させることができる。
【００９７】
次に、第四実施形態について説明する。第四実施形態において、第一実施形態と同様の要素及び部材については、同一符号を付して、詳細な説明を省略する。
【００９８】
第四実施形態の電子装置４３２では、図２７〜図３０に示すように、シェルフ４３４の上部で、且つは排気用ファン５８の奥側に、排気用ファン４５８が設けられる。排気用ファン４５８の駆動により、矢印Ｆ６で示すように、吸気口５２Ｌから空気を吸引できる。そして、吸気口５２Ｌから吸引した空気を、矢印Ｆ７で示すように、下搭載部分３９Ｌにおいて上昇させ、さらに、矢印Ｆ８〜Ｆ１０へと順に示すように、開口７８を経て排気口５４Ｕから排出できる。
【００９９】
第四実施形態の電子装置４３２では、シェルフ４３４の下部に吸気用ファン５６（図１等参照）を設けないので、シェルフ４３４の高さを低くできる。
【０１００】
なお、第四実施形態の電子装置４３２において、大型搭載ユニット３８Ｎに対応したフレーム３６Ｎを用いた場合は、吸気口５２Ｕから空気が吸引され、大型搭載ユニット３８Ｎにそって空気が上昇する。この場合、奥側の排気用ファン４３６は停止してもよい。
【０１０１】
上記各実施形態では、ダクト４８が隔離板６８とスライド部材７０とを有する。すなわち、下段搭載ユニット３８Ｌ（下搭載部分３９Ｌ）と上段搭載ユニット３８Ｕ（上搭載部分３９Ｕ）とを隔てる部材と、挿通孔７６の孔縁との間に開口７８を形成する部材とが別体である。したがって、これらの作用を、別々の部材により、より効果的に奏する構造を実現できる。
【０１０２】
スライド部材７０は、たとえば手動で直接操作することで拡大位置ＬＤと縮小位置ＬＳとを移動する構造でもよい。上記各実施形態では、フレーム３６に搭載される下段搭載ユニット３８Ｌに押されて突出長が長くなる（拡大位置ＬＤへ移動する）。すなわち、下段搭載ユニット３８Ｌをフレーム３６に搭載する動作で、同時にスライド部材７０を拡大位置ＬＤへ移動させることができ、スライド部材７０に対する手動の直接操作が不要である。
【０１０３】
スライド部材７０は、押し板８２（押し部材の一例）を有する。下段搭載ユニット３８Ｌとスライド部材７０とが上下方向に離れていても、下段搭載ユニット３８Ｌが押し板８２を押すことで、スライド部材７０を確実に押すことができる。
【０１０４】
スライド部材７０のスライドは、ガイド部材８０でガイドされる。ガイド部材８０がない構造と比較して、スライド部材７０は奥行方向にスムーズにスライドする。
【０１０５】
ガイド部材８０は、押し板８２と長孔８４とを有する。すなわち、スライド部材７０から突出する押し板８２と、筒体５０に形成する長孔８４との簡単な構造で、スライド部材７０のスライドをガイドできる。
【０１０６】
特に、押し板８２は、ガイド部材８０の突起を兼ねている。換言すれば、ガイド部材８０の突起が、フレーム３６に搭載される下段搭載ユニットに押される位置にある。押し板８２（押し部材）とガイド部材８０の突起とが別体の構造と比較して、部品点数が少ない。
【０１０７】
上記では、吸気用ファン及び排気用ファンを備えた電子装置を例示したが、電子装置とは別体の吸気用ファンや排気用ファンにより空気の流れを生成し、電子装置の内部にこの空気の流れを導入する構造でもよい。
【０１０８】
電子装置としては、下段搭載ユニット３８Ｌをシェルフ３４に搭載する動作に連動してスライド部材７０がスライドする構造に限らない。たとえば、下段搭載ユニット３８Ｌの搭載状態にあるとき、スライド部材７０に対する直接の手動操作によりスライド部材７０を拡大位置ＬＤにスライドさせてもよい。
【０１０９】
開口７８の開口面積を大きくする構造は、スライド部材７０のスライドに限定されず、要するに、挿通孔７６からのダクト４８の突出長を長くできればよい。たとえば、スライド部材７０に代えて、回動により開口７８の開口面積を大きくする回動部材を接続基板４４に設けてもよい。
【０１１０】
以上、本願の開示する技術の実施形態について説明したが、本願の開示する技術は、上記に限定されるものでなく、上記以外にも、その主旨を逸脱しない範囲内において種々変形して実施可能であることは勿論である。
【０１１１】
本明細書は、以上の実施形態に関し、さらに以下の付記を開示する。
（付記１）
搭載ユニットが上下に搭載される搭載フレームと、
複数の前記搭載フレームを並べて収容するラックと、
前記ラックを前記搭載フレームの背面側で塞ぐ背面板と、
上下の前記搭載ユニットを隔離し、前記背面板に形成された挿通孔から突出して前記挿通孔の孔縁との間に下段の前記搭載ユニットを通った空気を排出する開口を形成し、前記挿通孔からの突出長の調整により前記開口の断面積が調整されるダクトと、
を有する電子装置。
（付記２）
前記ダクトが、
上下の前記搭載ユニットを隔離する隔離部材と、
前記隔離部材に対しスライドし前記挿通孔から突出するスライド部材と、
を有する付記１に記載の電子装置。
（付記３）
前記搭載フレームに搭載される下段の前記搭載ユニットに前記スライド部材が押されることで前記突出長が長くなる付記２に記載の電子装置。
（付記４）
前記スライド部材に設けられ、前記搭載フレームに搭載される下段の前記搭載ユニットに押されることで前記スライド部材を前記突出長が長くなる方向に移動させる押し部材を有する付記３に記載の電子装置。
（付記５）
前記スライド部材を前記背面板からの突出長が短くなる方向に付勢するバネと、
前記スライド部材の前記背面板からの突出長が長くなった状態で前記搭載ユニットをロックするロック部材と、
を有する付記３又は付記４に記載の電子装置。
（付記６）
前記バネが前記搭載フレーム又は前記隔離部材に取り付けられ前記スライド部材を引っ張る引張バネである付記５に記載の電子装置。
（付記７）
前記バネが、前記背面板に取り付けられ前記スライド部材を押す押しバネである付記５に記載の電子装置。
（付記８）
前記スライド部材の前記スライドをガイドするガイド部材を有する付記２〜付記７のいずれか１つに記載の電子装置。
（付記９）
前記ガイド部材が、
前記スライド部材から突出する突部と、
前記突部を収容し前記スライドの方向に延在する長孔が形成されたガイド板と、
を有する付記８に記載の電子装置。
（付記１０）
前記突部が、前記搭載フレームに搭載される下段の前記搭載ユニットに押される位置にある付記９に記載の電子装置。
（付記１１）
前記スライド部材が、斜め上方に傾斜する傾斜壁を有する付記２〜付記１０のいずれか１つに記載の電子装置。
（付記１２）
前記傾斜壁の両側に立設される縦壁を有する付記１１に記載の電子装置。
（付記１３）
前記縦壁が前記スライド部材に設けられる付記１２に記載の電子装置。
（付記１４）
前記縦壁が前記隔離部材に設けられる付記１２に記載の電子装置。
（付記１５）
隣接する前記搭載フレームの間の隙間を埋めるガスケットを有する付記１〜付記１４のいずれか１つに記載の電子装置。
（付記１６）
前記ガスケットが導電性を有する付記１５に記載の電子装置。
（付記１７）
前記搭載フレームの吸気口を覆い通気孔が形成された導電性の通気板を有する付記１〜付記１６のいずれか１つに記載の電子装置。
（付記１８）
ラック内の搭載フレームの上下に搭載ユニットを搭載し、
背面板に形成された挿通孔から突出して前記挿通孔の孔縁との間に下段の前記搭載ユニットを通った空気を排出する開口を形成するダクトを、下段の前記搭載ユニットの前記搭載により押し込み、前記開口の断面積を広げる搭載ユニットの搭載方法。
（付記１９）
前記ダクトが、
上下の前記搭載ユニットを隔離する隔離部材と、
前記隔離部材に対しスライドし前記挿通孔から突出するスライド部材と、
を有し、
下段の前記搭載ユニットの前記搭載により前記スライド部材をスライドさせる付記１８に記載の搭載ユニットの搭載方法。
（付記２０）
前記ダクトが、
前記スライド部材を前記背面板からの突出長が短くなる方向に付勢するバネを有し、
前記バネのバネ力に抗して前記スライド部材を前記スライドさせる付記１９に記載の搭載ユニットの搭載方法。
【符号の説明】
【０１１２】
３２  電子装置
３４  シェルフ
３６  搭載フレーム
３８  搭載ユニット
４４  接続基板（背面板の一例）
４８  ダクト
５０  筒体（隔離部材の一例）
６４  通気板
６６  通気孔
６８  隔離板（隔離部材の一例）
７０  スライド部材
７２  傾斜壁
７４  縦壁
７６  挿通孔
７６Ｅ      孔縁
７８  開口
８０  ガイド部材
８２  押し板（押し部材の一例、突部の一例）
８４  長孔
８６  引張コイルバネ（引張バネの一例）
８８  ロックレバー（ロック部材の一例）
９０  ガスケット
２３２      電子装置
２８６      板バネ（押しバネの一例）
３３２      電子装置
３３８      縦壁
４３２      電子装置
【図１】
0006497113.tif 000002
【図２】
0006497113.tif 000003
【図３】
0006497113.tif 000004
【図４】
0006497113.tif 000005
【図５】
0006497113.tif 000006
【図６】
0006497113.tif 000007
【図７】
0006497113.tif 000008
【図８】
0006497113.tif 000009
【図９】
0006497113.tif 000010
【図１０】
0006497113.tif 000011
【図１１】
0006497113.tif 000012
【図１２】
0006497113.tif 000013
【図１３】
0006497113.tif 000014
【図１４】
0006497113.tif 000015
【図１５】
0006497113.tif 000016
【図１６】
0006497113.tif 000017
【図１７】
0006497113.tif 000018
【図１８】
0006497113.tif 000019
【図１９】
0006497113.tif 000020
【図２０】
0006497113.tif 000021
【図２１】
0006497113.tif 000022
【図２２】
0006497113.tif 000023
【図２３】
0006497113.tif 000024
【図２４】
0006497113.tif 000025
【図２５】
0006497113.tif 000026
【図２６】
0006497113.tif 000027
【図２７】
0006497113.tif 000028
【図２８】
0006497113.tif 000029
【図２９】
0006497113.tif 000030
【図３０】
0006497113.tif 000031